(57)【要約】【課題】  梁などとして設置された鋼製横架材とその上に根太や垂木、あるいはパネル材の桟木などとして設置された木製部材とをボルト等の接合部材を用いずに確実かつ強固に接合できる建築用接合金物を提供する。【解決手段】  梁１と梁１の上に設置された根太２を建築用接合金物３によって接合する。接合金物３は、縦長の長方形板状をなす金物本体４とその短辺方向の両縁端部にそれぞれ突設された補強リブ５，５とから断面ほぼ溝形状に形成する。補強リブ５，５は金物本体４の上下方向に連続し、かつ金物本体４に対して直角に突設する。金物本体４の上下両端側に、梁１のフランジ１ａを嵌合するための嵌合スリット６，６と垂木２に止め付けるための釘８が貫通する複数の釘穴７，７をそれぞれ形成する。嵌合スリット６は、一端側のリブ５を横断し、かつ金物本体４の短辺方向の一端側から他端側にかけて所定長さ水平に連続して形成する。【選択図】            図２
2005325630.tif 000002
【特許請求の範囲】
【請求項１】
鋼製横架材のフランジと木製部材とを接合するための建築用接合金物であって、前記鋼製横架材のフランジが嵌合される嵌合スリットと、前記木製部材に止め付けるための複数の穴と、前記嵌合スリットの長軸方向と直交する補強リブとを有することを特徴とする建築用接合金物。
【請求項２】
嵌合スリットの先端部と開口端部との間に狭小部が設けられてなることを特徴とする請求項１記載の建築用接合金物。
【発明の詳細な説明】
【技術分野】
【０００１】
本発明は、梁などとして設置された鋼製横架材と、根太や垂木、あるいはパネル材の桟木などとして設置された木製部材とを接合するための建築用接合金物に関し、鋼製住宅はもとより在来の木造住宅、ツーバイ工法による木造住宅などにおいて広く利用されるものである。
【背景技術】
【０００２】
木造の建物において、特に梁や桁などの横架材には強度上、きずやくるい等といった欠点の少ない良質の大断面材が用いられるが、樹木がこれらの建築用木材として利用できるまで充分に成長するには何世代にもわたって世話をする必要があり、また近年の森林資源保護の観点から梁などの横架材に適した大断面木材の取得は年々困難になってきている。
【０００３】
このため、鋼製住宅はもとより在来工法やツーバイ工法による木造住宅においても、広い部屋や大きな開口部を計画する場合、梁や桁などの横架材としてＨ形鋼や溝形鋼などの形鋼材が多く使用されるに至っている。
【特許文献１】特開２００３−１１３６５６号公報
【発明の開示】
【発明が解決しようとする課題】
【０００４】
これらの形鋼材は断面性能上非常に優れているが、その上に垂木や根太などとして木製部材を設置する場合、両部材が材質的に全く異なるために構造的にも施工的にもかなり複雑な接合仕様を強いられる。
【０００５】
特に、接合金物として釘、ねじなどの木構造固有の接合金物の他に、ボルトやビス、ピン等といった鋼構造独自の接合金物も多く用いられるため、金物の種類が大幅に増えて部品管理が煩雑になり、また接合方法も増えて施工が非常に面倒になる等の課題があった。
【０００６】
本発明は、以上の課題を解決するためになされたもので、鋼製横架材と木製部材とを容易かつ確実に接合できる建築用接合金物を提供することを目的とするものである。
【課題を解決するための手段】
【０００７】
請求項１記載の建築用接合金物は、鋼製横架材のフランジと木製部材とを接合するための建築用接合金物であって、前記鋼製横架材のフランジが嵌合される嵌合スリットと、前記木製部材に止め付けるための複数の穴と、前記嵌合スリットの長軸方向と直交する補強リブとをそれぞれ有して形成されてなることを特徴とするものである。
【０００８】
本発明は、特に鋼製横架材側には、鋼製横架材のフランジを嵌合スリットに嵌合して固定することで、ボルトやピン等といった鋼構造固有の接合部材を用いずに簡単に固定できるようにして、ボルト等いった鋼構造独自の接合部材の低減化、接合部の単純化、さらには施工の効率化等を可能にしたものである。
【０００９】
なお、この場合の嵌合スリットとして、幅の異なるスリットを複数列形成しておけば、フランジの板厚が異なる横架材にも容易に対応することができる。また、必要に応じて接合金物の板厚を増すことで必要な強度を得ることができる。対応可能な鋼製横架材としては、Ｈ形鋼、溝形鋼等フランジを有する形鋼を単独あるいは２本の溝形鋼を背中合わせに抱き合わせたものなどにも用いることができる。
【００１０】
嵌合スリットの幅は、固定する鋼製横架材のフランジの厚みよりも小さければ小さいほど確実に固定されるが、小さくなるにつれて嵌合が困難となる。本発明においては、接合金物の端部に補強リブを設けているので、この補強リブをハンマー等で叩くことにより鋼製横架材のフランジの厚みよりも小さな幅の嵌合スリットの接合金物であっても、確実に固定することができる。
【００１１】
本発明の接合金物に形成される複数の穴に、釘やねじなどのように通常木製部材に使用される接合材料を用いて接合金物と木製部材とを止め付けることができる。
【００１２】
請求項２記載の建築用接合金物は、請求項１記載の建築用接合金物において、嵌合スリットの先端部と開口端部との間に狭小部が設けられてなることを特徴とするものである。
【００１３】
本発明は、特に嵌合スリットに鋼製横架材のフランジを嵌合した際、嵌合スリットの狭小部がスプリングの機能を有することで、鋼製横架材のフランジを嵌合スリットに嵌合するだけで接合金物を鋼製横架材にボルト等を用いなくとも強固に固着することができ、したがって接合部に作用する上下方向および水平方向に作用するいずれの方向の応力にも抵抗可能なため、木製部材側から横架材側に応力を確実に伝達させることができるものである。嵌合スリットの幅が、その全長に渡って鋼製横架材のフランジの厚みよりも小さくても構わないが、その場合は嵌合に手間がかかるので、嵌合スリットの全長ではなく、一部に狭小部が設けられているのが好ましい。
【００１４】
なお、請求項１および２記載のいずれの発明においても、嵌合スリットの先端部に円形状の穴部を設けておけば、嵌合スリットに横架材のフランジを嵌合する際、接合金物をハンマー等で強く叩いたとしても、嵌合スリットの先端部分に応力集中による亀裂等が発生するようなこともなく、接合金物を横架材に確実に固着することができる。
【００１５】
また、嵌合スリットの開口端部分に嵌合口を設けておけば、嵌合スリットの位置合わせと位置決めがしやすく、作業性が向上する。なお、この場合の嵌合口は嵌合スリットより幅広く、かつ開口端側に徐々に広くなるように形成されているのがよい。
【発明の効果】
【００１６】
請求項１記載の発明は、鋼製横架材のフランジと木製部材とを接合するための建築用接合金物であって、前記鋼製横架材のフランジが嵌合される嵌合スリットと、前記木製部材に止め付けるための複数の穴と、前記嵌合スリットの長軸方向と直交する補強リブとを有することで、特に鋼製横架材側には嵌合スリットに鋼製横架材のフランジを嵌合するだけで固着することができるため、本発明の建築用接合金物を用いることにより鋼製横架材と木製部材とを確実かつ強固に接合するこができる等の効果を有する。
【００１７】
請求項２記載の発明は、請求項１記載の建築用接合金物において、嵌合スリットの先端部と開口端部との間に狭小部が設けられているため、この狭小部がスプリングの機能を有し、このため嵌合スリットに鋼製横架材のフランジを嵌合するだけで接合金物を鋼製横架材に確実強固に固着することができ、木製部材側から鋼製横架材側に応力を確実に伝達させることができる等の効果を有する。    
【発明を実施するための最良の形態】
【００１８】
図１〜図３は、梁として設置された鋼製横架材とその上に根太として架け渡された木製材との接合部を示し、梁１にはＨ形鋼、根太２には木製の角材がそれぞれ用いられ、両部材は４枚の建築用接合金物(以下「接合金物」という)３によって接合されている。
【００１９】
接合金物３は、縦長の長方形板状をなす金物本体４とその短辺方向の両縁端部にそれぞれ設けられた補強リブ５，５とから断面ほぼ溝形状に形成されている。補強リブ５，５は金物本体４の上下方向に連続し、かつ金物本体４に対して直角に設けられ、また金物本体４の上下両端側に嵌合スリット６，６と複数の釘穴７，７がそれぞれ形成されている。
【００２０】
嵌合スリット６は、一端側のリブ５を横断し、かつ金物本体４の短辺方向(幅方向)の一端側から他端側にかけて所定長さ水平に連続して形成され、その先端部に円形状の穴６ａが、嵌合スリット６の開口端部に嵌合スリット６の開口幅より大きい開口幅の嵌合口６ｂがそれぞれ嵌合スリット６に連続して形成されている。
【００２１】
また、嵌合スリット６の開口端側の嵌合口６ｂより内側と先端側の穴部６ａより外側に、梁１のフランジ１ａの板厚より幅小な狭小部６ｃ，６ｃが所定の長さに形成されており、したがって嵌合スリット６の先端側部分と開口端側部分の二ヶ所は、梁１のフランジ１ａの板厚より狭小に形成され、この狭小部６ｃ，６ｃの間が梁１のフランジ１ａの板厚より幅広く形成されている。釘穴７は嵌合スリット６の上下両側にそれぞれ形成されている。
【００２２】
このように形成された接合金物３は、根太２の両側にそれぞれ２枚ずつ設置され、その下端側は梁１のフランジ１ａの縁端部を嵌合スリット６に嵌合することにより梁１のフランジ１ａに固定され、また上端側は釘穴７から根太２の側部に釘８を打ち付けることにより根太２に固定され、こうして鋼製の梁１と木製の根太２が４枚の接合金物３を介して一体的に接合されている。
【００２３】
接合金物３は、金物本体４の縁端部に突設された補強リブ５をハンマー等で叩くことにより、嵌合スリット６に梁１のフランジ１ａの縁端部を確実に嵌合することができる。
【００２４】
また、嵌合スリット６の２ケ所に形成された狭小部６ｃ，６ｃが梁１のフランジ１ａの板厚より狭く形成され、かつこの狭小部６ｃ，６ｃ間が梁１のフランジ１ａの板厚より幅広く形成されていることで、嵌合部６を梁１のフランジ１ａに嵌合した際、狭小部６ｃ，６ｃがスプリングの機能を有するため、嵌合スリット６に梁１のフランジ１ａを嵌合するだけで接合金物３を梁１に確実強固に固着することができる。
【００２５】
また、嵌合スリット６の先端部に円形状の穴部６ａが形成されていることで、嵌合スリット６を梁１のフランジ１ａに叩いて嵌合したとしても、嵌合スリット６の先端部分に応力集中による亀裂が発生するようなこともない。
【００２６】
さらに、嵌合スリット６の開口端部分にフランジ１ａの板厚より幅広な嵌合口６ｂが設けられていることで、嵌合スリット６の位置合わせと位置決めがしやすく、作業性も非常によい。
【００２７】
なお、実施例においては、特に嵌合スリット６の形状と寸法は、梁１の片フランジの横幅ｗ２(フランジ１ａの横幅ｗ１の１／２)とフランジ１ａの板厚ｔに関連して設定されており、具体的には嵌合スリット６の長さＬは片フランジの横幅ｗ２の１／２(フランジ１ａの横幅ｗ１の１／４)以上、片フランジの横幅ｗ２−５ｍｍ(フランジ１ａの横幅ｗ１の１／２)以下に設定されている。
【００２８】
また、嵌合スリット６の嵌合口６ｂの開口幅ｗ３は、フランジ１ａの板厚ｔ＋０．３ｍｍ(上下各０．１５ｍｍ)、狭小部６ｃの幅はフランジ１ａの板厚ｔ−０．５ｍｍに設定されている。
【００２９】
図４は、母屋として設置された鋼製横架材とその上に垂木として架け渡された木製材との接合部を示し、母屋９にはＨ形鋼、垂木１０には角材がそれぞれ用いられ、両部材は４枚の接合金物３によって接合されている。
【００３０】
なお、実施例としていずれも４枚の接合金物を使用した例を示したが、これに限らず、枚数を減らして取り付けることもできる。例えば、接合部の強度に応じて根太や母屋、垂木等の木製部材の片側のみに接合金物３を取り付けたり、２枚の接合金物３を対角的に取り付けても良い。また、接合金物３の板厚を厚くして強度を増すことにより１枚の接合金物３で取り付けることも可能である。
【産業上の利用可能性】
【００３１】
本発明は、梁などとして設置された鋼製横架材とその上に根太や垂木、あるいはパネル材の桟木などとして設置された木製部材をきわめて容易にかつ強固に接合することができる。
【図面の簡単な説明】
【００３２】
【図１】梁と根太との接合部を示し、(ａ)はその平面図、(ｂ)は縦断面図である。
【図２】建築用接合金物を示す斜視図である。
【図３】建築用接合金物の使用状態を示し、(ａ)はその平面図、(ｂ)は嵌合スリット部分の拡大図である。
【図４】母屋と垂木との接合部を示し、(ａ)はその平面図、(ｂ)は縦断面図である。
【符号の説明】
【００３３】
１  梁(鋼製横架材)
２  根太(木製材)
３  接合金物(建築用接合金物)
４  金物本体
５  補強リブ
６  嵌合スリット
６ａ  穴部
６ｂ  嵌合口
６ｃ  狭小部
７  釘穴
８  釘
９  母屋
１０  垂木
【図１】
2005325630.tif 000003
【図２】
2005325630.tif 000004
【図３】
2005325630.tif 000005
【図４】
2005325630.tif 000006